(57)【要約】【課題】厚さを薄く出来る電子機器を提供することである。【解決手段】フラットパネルディスプレイ１１１を有しているディスプレイハウジング１１０を、水平な回転軸の周りに回転させるためのディスプレイ支持機構１４０は、第１の部材２００と第２の部材２２０とを備える。第１の部材はディスプレイハウジングのバックディスプレイパネル１１４に枢軸結合されており、第２の部材はディスプレイハウジングのバックディスプレイパネルに枢軸結合されている。第２の部材は、ディスプレイハウジングの水平な軸周りの回転によりディスプレイハウジングが第１の位置に配置されたとき該第１の部材とほぼ同一平面になる。ディスプレイハウジングが第２の位置に配置されると、第２の部材は第１の部材とほぼ平行になる。【選択図】      図５
2005092864.tif 000002
【特許請求の範囲】
【請求項１】
本体と；
前記本体に結合されているヒンジアセンブリと；
フロントディスプレイパネルとバックディスプレイパネルとによって覆われているフラットパネルディスプレイを備えているディスプレイハウジングと；
第１の枢軸点において前記ヒンジアセンブリと枢軸結合されているとともに第２の枢軸点において前記ディスプレイハウジングと枢軸結合されている第１の部材と、第３の枢軸点において前記ヒンジアセンブリに枢軸結合されているとともに第４の枢軸点において前記ディスプレイハウジングに枢軸結合されている第２の部材と、を備えているディスプレイ支持機構と；
を備えており、
前記ディスプレイハウジングが第１の位置に配置されたとき、前記第１および第３の枢軸点を含んでいる第１の平面が前記第２および第４の枢軸点を含んでいる第２の平面と平行になり、
前記ディスプレイハウジングが第２の位置に配置されたとき、前記第１の平面は前記第２の面と平行でなくなるように方向つけされることを特徴とする電子機器。
【請求項２】
前記第２の部材は、（ｉ）前記第２の部材の残りの部分から角度が付けられているとともに前記第３の枢軸点において前記ヒンジアセンブリの回転軸に枢軸結合されている第１の端部と、（ｉｉ）前記第４の枢軸点において前記ディスプレイハウジングの前記バックディスプレイパネルに枢軸結合されている第２の端部と、を備える、請求項１に記載の電子機器。
【請求項３】
前記ヒンジアセンブリは、前記本体内に収容されている構成要素から、前記ディスプレイハウジング内の前記フラットパネルディスプレイを制御する回路要素への相互接続の道筋をつけるための導管を有している第１の端部を備える、請求項１に記載の電子機器。
【請求項４】
前記ディスプレイハウジングが前記第２および第４の枢軸点によって設定されている水平軸の周りに回転されているとともに前記ディスプレイ支持機構に対して面一になることなく位置付けされた後に、前記ディスプレイハウジングは前記第１の位置とは異なっている前記第２の位置にある、請求項１に記載の電子機器。
【請求項５】
前記ディスプレイハウジングが前記第２および第４の枢軸点によって設定されている水平な回転軸の周りに回転されているとともに該ディスプレイハウジングが前記第２の枢軸点および第４の枢軸点において前記ディスプレイ支持機構と単に接触しているとき、前記ディスプレイハウジングは前記第１の位置とは異なっている前記第２の位置にある、請求項１に記載の電子機器。
【発明の詳細な説明】
【技術分野】
【０００１】
本発明は、電子機器に関係している。
【背景技術】
【０００２】
過去１０年にわたり、特にデータ処理機能の高まりの観点から、ラップトップコンピュータに対する要求が増してきている。従来のラップトップコンピュータは、外部電源またはポータブル電源のいずれかによって作動し、本体に枢軸接続されているディスプレイハウジングを特徴としている。典型的には、該ディスプレイハウジングは液晶ディスプレイ（ＬＣＤ）を含んでおり、一方では該本体はキーボードと、例えばローラボールやタッチパッドの如き２次入力装置と、を含む。
【０００３】
キーボードにアクセスするとともにＬＣＤ上に表示された内容を見るために、使用者は、本体を表面（例えば、使用者の膝または固定された表面）上に載置し、そしてディスプレイハウジングを該本体から遠くに旋回させることによりコンピュータを開く。その結果、使用者は、キーボードおよび２次入力装置にアクセスすることができるとともに表示された内容を読むことができる。同様に、使用後に該コンピュータを閉じるには、使用者は、ディスプレイハウジングを本体に向かい旋回させ該ディスプレイハウジングを該本体に固定する。
【０００４】
最近、携帯情報端末の人気の増大により、ラップトップコンピュータは入力装置として動作するスタイラスペンを伴なっているタブレットコンピュータとして代替的に動作するよう構成されてきた。これは、ディスプレイハウジングが反転されることを要求し、すなわちＬＣＤは、見えるように配置されるとともに本体に対し載置されている。ディスプレイハウジングの反転および旋回は、該ディスプレイハウジングの底部に取付けられている軸によって実現されていた。軸は垂直中心軸を提供し、ディスプレイハウジングが使用者に向かい下方方向に垂直に回転される前に、ディスプレイハウジングが垂直方向の中心軸の周りに水平方向に１８０°回転されることを許容する。しかしながら、この構造は多くの欠点を有する。
【発明の開示】
【発明が解決しようとする課題】
【０００５】
例えば、１つの欠点は、相当な力が上記軸に作用し、それにより、長期使用の後に、該軸を早めて破損させてしまうことがあることである。他の欠点は、上記軸が、調整および通常の使用の間に上記ディスプレイに対し許容できない程度の不安定性をもたらす傾向がある、単一の接触点を提供するということである。さらに別の欠点は、ブレーキヒンジが、ディスプレイハウジングの背面に対して適合できるということである。従って、電子機器の厚さは、該ヒンジ機構自体の寸法よりも薄くすることができない。
【０００６】
この発明の目的は、厚さを薄く出来る電子機器を提供することである。
【課題を解決するための手段】
【０００７】
請求項１の発明によれば：本体と；前記本体に結合されているヒンジアセンブリと；フロントディスプレイパネルとバックディスプレイパネルとによって覆われているフラットパネルディスプレイを備えているディスプレイハウジングと；第１の枢軸点において前記ヒンジアセンブリと枢軸結合されているとともに第２の枢軸点において前記ディスプレイハウジングと枢軸結合されている第１の部材と、第３の枢軸点において前記ヒンジアセンブリに枢軸結合されているとともに第４の枢軸点において前記ディスプレイハウジングに枢軸結合されている第２の部材と、を備えているディスプレイ支持機構と；を備えており、前記ディスプレイハウジングが第１の位置に配置されたとき、前記第１および第３の枢軸点を含んでいる第１の平面が前記第２および第４の枢軸点を含んでいる第２の平面と平行になり、前記ディスプレイハウジングが第２の位置に配置されたとき、前記第１の平面は前記第２の面と平行でなくなるように方向つけされることを特徴とする。
【発明の効果】
【０００８】
この発明によれば、厚さを薄く出来る電子機器を提供することが出来る。
【発明を実施するための最良の形態】
【０００９】
以下の詳細な記載に明らかにされている本発明の実施の形態は、一般に、フラットパネルディスプレイのためのディスプレイ支持機構に関係している。一般に、該ディスプレイ支持機構の少なくとも１つの実施の形態は、電子機器内に配置されているブレーキヒンジに枢軸結合されており、該電子機器の厚さを最少にし該フラットパネルディスプレイの支持により大きな安定性を提供するよう物理的に構成されている。また、上記電子機器の全体的な物理的構成は、上記ヒンジアセンブリ内に配置されている所定の導管を通る相互接続（interconnect）の道筋（routing）を可能にする。
【００１０】
以下の記載においては、本発明の１つまたはそれ以上の実施の形態の特定の特徴を記載するのに、特定の用語が使用される。例えば、「電子機器」は、調整可能なフラットパネルディスプレイを伴なっている電子製品として規定されている。この詳細な記載においては、明確化のため、上記電子機器はタブレットコンピュータに変化することができるポータブルコンピュータとして図示されている。しかしながら、本発明は、これらに限定または規制されるのではないが、携帯情報端末、携帯電話、ディジタルカメラ、ビデオカメラ、ナビゲーションシステム、およびこれ等と同等のものを含んでいる他の種類の電子機器において使用することができることは明らかである。
【００１１】
本願明細書において、用語「回転する」、「旋回する」、およびそれらの変形時制は、回転軸の周りの角移動として一般に規定されている。通常、回転軸は固定されている。この詳細な記載の場合、用語「垂直な」（あるいは、そのいずれかの時制）は、実質的に水平な回転軸に基づいた回転方向を示すのに使用されている。用語「水平な」（または、そのいずれかの時制）は、略垂直な回転軸に基づく回転方向を示すのに用いられている。
【００１２】
用語「相互接続」は、ある地点から他の地点へ電気信号を転送できるあらゆる媒体である。相互接続の例は、１つまたはそれ以上の電気ワイヤ、いかなる形式のケーブル（例えば、フレキシブル印刷ケーブル）、光ファイバ、およびこれらと同等のものを含むことが出来る。
【００１３】
図１〜４を参照すると、電子機器１００の斜視図が示されている。ここにおいて、電子機器１００は、ヒンジアセンブリ１３０を介して本体１２０に枢軸結合されているディスプレイハウジング１１０と、ディスプレイ支持機構１４０と、を備える。
【００１４】
図に示されているように、電子機器１００は、第１の閉（「ＣＬＯＳＥＤ」）位置（図１，２）、第２の開（「ＯＰＥＮＥＤ」）位置（図３）、および第３の反転（「ＩＮＶＥＲＴＥＤ」）位置（図４）にある。これらの位置の各々において、ディスプレイハウジング１１０の上部または底部は、ディスプレイ支持機構１４０に対して概して面一である。もちろん、電子機器１００は、以下に記載するように、ディスプレイハウジング１１０の垂直回転に応じた他の位置に配置されてもよい。
【００１５】
本発明の一実施の形態の場合、図１〜４中に示されているように、本体１２０は、２つの主パネル部、すなわち、フロントパネル部１２２及びバックパネル部１２４を備える。これらのパネル部１２２，１２４は、電子機器１００のハードウェア構成要素および格納されたソフトウェア構成要素を収容するように共に結合されている。これは、これらの構成要素を異物および環境条件から保護する。本発明のこの実施の形態の場合、パネル部１２２及び１２４は、硬質プラスチックの如き柔軟でない材質で形成されている。
【００１６】
図示はしていないが、本体１２０内に、機械ドライブ（駆動装置）または光学ドライブ（駆動装置）を用いてもよいことが意図されている。通常、これらのドライブ（駆動装置）は、本体１２０の縁部に沿って位置づけられている。
【００１７】
ディスプレイハウジング１１０は、フラットパネルディスプレイ１１１、およびフラットパネルディスプレイ１１１上に表示可能な画像を生成する回路要素を収容する。フラットパネルディスプレイ１１１の例は、限定または規制されるのではないが、液晶ディスプレイ（ＬＣＤ）、プラズマディスプレイ、またはこれらと同様のものを含む。
【００１８】
本発明のこの実施の形態の場合、ディスプレイハウジング１１０は、２つのパネル部、すなわち、フロントディスプレイパネル１１２及びバックディスプレイパネル１１４、を備える。図２中に詳細に示されているように、バックディスプレイパネル１１４は、ディスプレイ支持機構１４０（図５参照）の第１の部材を完全に収容するような寸法にされている深さを有している凹部領域１１５を含む。従って、電子機器１００が上記閉位置（図１）にあるとき、バックディスプレイパネル１１４の上面１１６はディスプレイ支持機構１４０の上面１４１とほぼ同一平面になっている。また、バックディスプレイパネル１１４の凹部領域１１５が、以下に記載されているように、ディスプレイ支持機構１４０を形成している部材の厚さの変化を受け入れるよう、１つまたはそれ以上の第２の凹部領域１１７を備えてもよいことが意図されている。
【００１９】
図２にさらに示されているように、これらの凹部領域１１５および／または１１７は、ディスプレイハウジング１１０が完全に反転されたとき（例えば、ディスプレイハウジング１１０のバックパネル１１４が本体１２０のフロントパネル部１２２に近接するよう垂直方向に回転されたとき）、ディスプレイ支持機構１４０が（フロントパネル部１２２に一体化されている）キーボード１８０に、あるいは本体１２０のフロントパネル部１２２の上面１２３に、直接接触するのを協働して防いでいる。本発明のこの実施の形態の場合、ディスプレイハウジング１１０は、電子機器１００が閉位置にあるときの方向から約１８０°垂直方向に回転されたときに反転される。
【００２０】
図１中に示されているように、ヒンジアセンブリ１３０は、本体１２０の底縁１２５およびディスプレイ支持機構１４０の第１の端部１４２に結合するために構成されている。本発明の一実施の形態では、ヒンジアセンブリ１３０は、ディスプレイハウジング１１０を本体１２０の上方で選択された回転角度に維持するために、例えば摩擦ヒンジの形式の如きブレーキヒンジとして適合されている。例えば、ヒンジアセンブリ１３０は、ディスプレイハウジング１１０を角度Ａに維持するように適合されていてよく、この場合「Ａ」は、約３０°乃至約１５０°の間の範囲である（図３）。
【００２１】
第１のヒンジユニット１５０は、ディスプレイ支持機構１４０の第２の端部１４４に適合されている。本発明の一実施の形態として、第１のヒンジユニット１５０は、ディスプレイハウジング１１０のバックディスプレイパネル１１４の長手方向の中心に略配置されている単一のヒンジまたは複数のヒンジを備える。しかしながら、第１のヒンジユニット１５０が、該長手方向の中心からずれていてもよいことが意図されている。第１のヒンジユニット１５０は、ディスプレイハウジング１１０が、第１のヒンジユニット１５０によって設定されている水平な回転軸にしたがって、垂直方向に回転可能にしている。第１のヒンジユニット１５０はさらに、図４中に示されている如くディスプレイハウジング１１０が反転できるようにしている。
【００２２】
図１〜４をなお参照すると、本体１２０の上縁１２６上に位置付けられている相補的な留め具１６２に固定するために、留め具１６０がディスプレイハウジング１１０の上縁１１８に沿って位置付けされている。これらの留め具１６０，１６２は、係合されたとき、ディスプレイハウジング１１０の角回転を防ぐとともに係合が解除されるまで電子機器１１０を閉位置に維持する。
【００２３】
デュアルスピーカ１７０，１７２が本体１２０内に一体化されているとともにディスプレイ支持機構１４０によって分離されている。スピーカ１７０，１７２は、ディスプレイハウジング１１０が下降され電子機器１００が閉位置にあるとき、実質的に見えている。
【００２４】
図３中に示されているように、開位置において、電子機器１００は、本体１２０に一体化されているキーボード１８０にたいするアクセスを使用者に提供する。さらに、電子機器１００は、本体１２０に一体化されている２次入力装置１８５に対するアクセスを使用者に提供する。２次入力装置１８５の例は、例えばタッチパッドまたはトラックボールを含んでよい。
【００２５】
本発明の一実施の形態の場合、１つまたはそれ以上の溝１９０および１９２がフロントパネル部１２２上に形成されている。各溝１９０および／または１９２は、図２中に示されている如くバックディスプレイパネル１１４上に位置されている１つまたはそれ以上のばね負荷保持フック１１３を収容する凹部領域１９１，１９３を含む。ばね負荷保持フック１１３は、ディスプレイハウジング１１０が反転されているときに反動され、そして、従って、ディスプレイハウジング１１０が反転位置にあるとき（図４）、凹部領域１９１，１９３と係合されている。さもなければ、ディスプレイハウジング１１０がディスプレイ支持機構１４０に取り付けられたとき（例えば、電子機器１００が開位置または閉位置にあるとき）、ばね負荷保持フック１１３はディスプレイ支持機構１４０によってディスプレイハウジング１１０内に押し込まれている。
【００２６】
ディスプレイハウジング１１０および本体１２０の異なる領域が、異なる材料で適合されていてもよいことが意図されている。例えば、２次入力装置１８５を取り囲んでいるフロントパネル部１２２の一部は、長期間の使用後に損傷するのを改善するために、ステンレス鋼または他の金属組成物により適合されていてもよい。
【００２７】
次に図５を参照すると、図１のディスプレイ支持機構１４０の第１の実施の形態の斜視図が示されている。ディスプレイ支持機構１４０は、第１の部材２００及び第２の部材２２０を備える。一般に、第１の部材２００はヒンジアセンブリ１３０および第１のヒンジユニット１５０の両方に結合されている。第２の部材２２０は、ヒンジアセンブリ１３０及び、第１のヒンジユニット１５０からずれている第２のヒンジユニット２３０に結合されている。これらの結合のうちの少なくともいくつか、あるいは全ては、事実上枢軸的である。
【００２８】
ここにおいては、図６および図７の（ａ）中に示されているように、ヒンジアセンブリ１３０はブレーキヒンジである。しかしながら、本発明の一実施の形態としては、ヒンジアセンブリ１３０は、端部１３１及び１３２間に位置されている軸１３３を伴なった少なくとも２つの端部１３１，１３２を備える。本体１２０または該ケース内の構成要素に強固に固定した場合、端部１３１、１３２は軸１３３の回転をわずかに阻み、それによってブレーキヒンジとして動作するように適合されていてよい。各端部１３１及び１３２は、その中を介して相互接続１３６が道筋立てられる（routed）ようにする開口１３４及び１３５を含む。
【００２９】
一般に、本発明の一実施の形態の場合、軸１３３は、第１の軸部１３７と第２の軸部１３８との間に介在されている第３の軸部１３９を特徴とする。軸部１３７及び１３８は、非円形の断面領域（例えば、平坦な外辺および湾曲された外辺を伴なっている半円形領域）によって構成されている。第３の軸部１３９は、第１および第２の軸部１３７及び１３８の断面領域よりも小さい断面領域を特徴とする。
【００３０】
ここにおいて、第１の部材２００は軸部１３７及び１３８に枢軸結合されており、第２の部材２２０は第３の軸部１３９に枢軸結合されている。ヒンジは、この枢軸結合を実現するのに使用されてよい。しかしながら、軸１３３をどのような形状にしたがって構成してもよいが、このような構成は開口１３４および／または１３５を介した相互接続１３６の為の供給通路を妨げることなく軸１３３の回転を可能にすべきであることが意図されている。
【００３１】
相互接続１３６を、他の実施の形態によって、本体１２０とディスプレイハウジング１１０との間で分けることができることが意図されている。例えば、図７の（ｂ）中に示されているように、相互接続１３６は、ブレーキヒンジ１３０の第１の部分の周りに巻くことにより、本体１２０からディスプレイハウジング１１０に設けられている。この実施の形態は、図７の（ａ）の開口１３４および／または１３５が設けられていない場合に用いることができる。
【００３２】
図５に戻って参照すると、第２の部材２２０は、ヒンジアセンブリ１３０及び、第１のヒンジユニット１５０からずれており１つまたはそれ以上のヒンジを備えている第２のヒンジユニット２３０に枢軸結合されている。この実施の形態の場合、第２のヒンジユニット２３０は、バックディスプレイパネル１１４の凹部領域１１７内に位置決めされている。また、第２の部材２２０の第１の端部２２２は、開口１３４または１３５を介した供給通路の完全な交差を避けるように、角度Ｂだけ角度が付けられている。これは、ディスプレイハウジング１１０が垂直方向に回転されたときに、第２の部材２２０が、開口１３４を介して道筋が立てられている相互接続を損傷させるのを防ぐ。角度「Ｂ」は、この実施の形態の場合、１５°と７０°の間の範囲である。
【００３３】
本発明の一実施の形態の場合、第１の部材２００は、部材２００及び２２０がほぼ同一面になる（即ち、概して同じ平面内にある）ように第２の部材２２０を収容するような寸法にされている凹部領域２０５を含む。さらに、凹部領域２０５は、電子機器１００が開位置または閉位置に配置されたときに、第２の部材２２０を実質的に収容する。この時、第２の部材２２０の突出部２２５は、凹部領域２０５の凹部部分２０６内に位置されている。さらに、凹部領域２０５は、電子機器１００が反転位置に配置されているとき、第２の部材２２０を実質的に収容する。この時、第２の部材２２０の突出部２２５は、凹部領域２０５の凹部部分２０７内に位置されている。
【００３４】
第１および第２のヒンジユニット１５０及び２３０によって設定されている水平な回転軸に従うディスプレイハウジング１１０の回転中、第２の部材２２０は第１の部材２００から離れ、そしてもはや該第１の部材２００とは同一平面にはない。さらに、本発明の一実施の形態によれば、第２の部材２２０もまた第１の部材２００から斜めに（例えば、非平行に）なる。
【００３５】
要約すれば、第１の部材２００は、ディスプレイハウジング１１０（または第２の部材２２０）が第１の位置に配置されているとき、第２の部材２２０と実質的に同一平面にあるとともに該第２の部材と平行であってよい。この「第１の」位置において、ディスプレイハウジング１１０の上部または底部のいずれかが、ディスプレイ支持部材１４０に対して概して面一になるよう位置付けられている（図９の（ａ）、図１０の（ａ）、図１４の（ａ）および図１５の（ａ）参照）。しかしながら、ディスプレイハウジング１１０が第２の位置に配置されているとき、第２の部材２２０は第１の部材２００から斜めになって、もはや該第１の部材とは同一平面ではなくなる。一般に、上記第２の位置は、ディスプレイハウジング１１０がディスプレイ支持部材１４０から引き離されるとともにヒンジユニット１５０及び２３０によって設定されている水平軸周りに回転されたときに、実現される。
【００３６】
具体的には、図１１の（ａ）、図１２の（ａ）、および図１３の（ａ）中に示されているように、第１および第２のヒンジユニット１５０、２３０によって設定されている回転軸に沿ったディスプレイハウジング１１０の初期の時計回りの回転は、最初は第１の部材２００と同一平面であった第２の部材２２０を第１の部材２００から遠ざかるよう移動させる。また、第２の部材２２０は、第１の部材２００から斜めになり、それに伴って該第１の部材２００とは平行でなくなる。ディスプレイハウジング１１０の時計回りの引き続く回転は第２の部材２２０を第１の部材２００からさらに離し、第２の部材２２０が互いに非平行な状態を続ける。一実施の形態においては、所定の距離は１／４インチを越えるが、しかしながら、どのような所定の距離も適応されることができる。
【００３７】
図１３の（ａ）および図１４の（ａ）中に示されているように、図９の（ａ）における非回転状態からの概して９０°を越える、第１および第２のヒンジユニット１５０及び２３０によって設定されている集合的な回転軸に沿ったディスプレイハウジング１１０のさらなる時計回りの回転は、第１の部材２００および第２の部材２２０の減少された隔離を生じさせる。ディスプレイハウジング１１０が図１５の（ａ）中に示されているように反転されると、第２の部材２２０は、図５の第１の部材２００の凹部領域２０５内に再び位置付けされることになる。その結果、第２の部材２２０は、再び、第１の部材２００と同一平面になり、かつ該と平行になる。
【００３８】
次に図８を参照すると、ディスプレイ支持機構１４０の第２の実施の形態の斜視図が示されている。ここにおいて、ディスプレイハウジング１１０は、第１のヒンジユニット１５０を介してディスプレイ支持機構１４０に枢軸結合されたままである。しかしながら、ディスプレイ支持機構１４０は複数のアームによって構成されている。ここにおいて、第１の部材２００は、第１のヒンジユニット１５０の一端に枢軸結合されている第１のアーム３０５と、第１のヒンジユニットの他端に枢軸結合されている第２のアーム３１０と、を備える。第１および第２のアーム３０５及び３１０は、第１の軸部１３７および第２の軸部１３８に夫々枢軸結合されることができる。第２の部材２２０は、ヒンジアセンブリ１３０および第２のヒンジユニット２３０に枢軸結合されている第３のアーム３１５を備える。アーム３０５，３１０，そして３１５は、図２の凹部領域１１５の深さよりも小さい厚さに寸法きめされている。
【００３９】
今度は図９の（ａ）〜図９の（ｃ）を参照すると、第１および第２の部材２００及び２２０の枢軸結合されている端部の詳細図と共に、図１の電子機器１００の断面図が示されている。本発明のこの実施の形態の場合、ディスプレイ支持機構１４０は、互いに実質的に同一平面であってよい第１の部材２００および第２の部材２２０によって構成されている。ディスプレイハウジング１１０は、ディスプレイ支持機構１４０に対して面一になるように位置決めされている。
【００４０】
より具体的には、第１の部材２００の第１の端部２０２は軸１３３の外側縁部（例えば、軸部１３８）に枢軸結合されているとともに該外側縁部に概して近接しており、第２の部材２２０の角度が付けられた第１の端部２２２は軸１３３の内側部（例えば、第３の軸部１３９）に枢軸結合されている。第１の部材２００の第２の端部２０４は第１のヒンジユニット１５０に結合されており、第２の部材２２０の第２の端部２２４は第２のヒンジユニット２３０に結合されている。従って、電子機器１００が閉位置にある間に、第１および第２の部材２００及び２２０の両方が、示されているように互いにほぼ同一平面にあるる。
【００４１】
また、図９の（ｂ）および図９の（ｃ）中に示されているように、電子機器１００が閉位置に配置されているとき、平面Ａが平面Ｂから斜めになり、そして平面Ｂと平行にならないように方向決めされていることが認識される。平面Ａは第１および第２の部材２００及び２２０の端部２０２及び２２２における枢軸点を含む。平面Ｂは、第１および第２の部材２００及び２２０の端部２０４及び２２４における枢軸点を含む。
【００４２】
図１０の（ａ）〜図１０の（ｃ）を参照すると、第１および第２の部材２００及び２２０の枢軸結合されている端部の詳細図と共に、電子機器１００の断面図が示されている。本発明のこの実施の形態の場合、ディスプレイハウジング１１０およびディスプレイ支持機構１４０は、矢印２５０により示されているように同時に垂直方向に旋回されている。しかしながら、ディスプレイハウジング１１０をディスプレイ支持機構１４０に対して面一に維持するよう、第１および第２のヒンジユニット１５０及び２３０によって設定されている水平方向の回転軸周りのいかなる角回転もまだない。その結果、第１および第２の部材２００及び２２０は、図１０の（ｃ）中に示されているように、概して同一平面のままである。
【００４３】
ここにおいては、図１０の（ｂ）中に示されているように図９の（ｂ）と比較して、ヒンジアセンブリ１３０の軸１３３は、図９の（ｂ）の矢印２５５により指摘されているように、時計回り方向に９０°未満の角度だけ回転している。このような回転は、第１の部材２００の第１の端部２０２および第２の部材２２０の第１の端部２２２の対応している動きを引き起こし、開口１３５を通る相互接続のための供給通路を依然として維持する。
【００４４】
次に図１１の（ａ）〜図１１の（ｃ）を参照すると、第１および第２の部材２００及び２２０の枢軸結合されている端部の詳細図と共に、電子機器１００の断面図が示されている。本発明のこの実施の形態の場合、ディスプレイハウジング１１０は、矢印２６０により示されているように、第１のヒンジユニット１５０および第２のヒンジユニット２３０によって設定されている軸の周りで反時計回り方向に垂直方向に回転されている。しかしながら、ヒンジアセンブリ１３０における軸１３３の回転はない。これは、第１の部材２００および第２の部材２２０をヒンジユニット１５０及び２３０に向かい近接して部分的に離間させる。
【００４５】
図１２の（ａ）〜図１２の（ｃ）を参照すると、第１および第２の部材２００及び２２０の枢軸結合されている端部の詳細図と共に、電子機器１００の断面図が示されている。本発明のこの実施の形態の場合、ディスプレイハウジング１１０は、矢印２６５により例示されている反時計周り方向で垂直方向に回転され続ける。このような回転は、図１１の（ａ）〜図１１の（ｃ）中に明確にされている位置と比較して、ヒンジアセンブリ１３０の軸１３３の反時計周り方向への回転を生じさせる。
【００４６】
第２の部材２２０の角度の付いた第１の端部２２２のお蔭により、軸１３３の回転は、第１の部材２００を下方にずらし、かつ第２の部材２２０を上方にずらす。このようなずらしは、第１の部材２００と第２の部材２２０との間の離間をさらに生じさせる。この位置において、電子機器１００の第１の部材２００および第２の部材２２０は互いにわずかに斜めになり、開口１３５を通る供給通路は依然として維持される。
【００４７】
図１２（ｂ）および図１２（ｃ）中に示されているように、ディスプレイハウジング１１０が、ここに示されているようにディスプレイ支持機構１４０から一旦離されそして回転されると、平面Ｃは平面Ｄと平行になる。平面Ｃは第１および第２の部材２００及び２２０の端部２０２及び２２２における枢軸点を含み、平面Ｄは第１および第２の部材２００及び２２０の端部２０４及び２２４における枢軸点をそれぞれ含む。
【００４８】
図１３の（ａ）〜図１３の（ｃ）を参照すると、第１および第２の部材２００及び２２０の枢軸結合されている端部の詳細図と共に、電子機器１００の断面図が示されている。本発明のこの実施の形態の場合、ディスプレイハウジング１１０は矢印２７０により示されているように反時計周り方向に垂直方向に回転され続ける。この位置において、ディスプレイハウジング１１０は、殆どすでに十分に反転されている。このような回転は、図１２の（ａ）〜図１２の（ｃ）中に図示されている位置と比較して、反時計周り方向における軸１３３のさらなる回転を生じさせる。
【００４９】
軸１３３の回転は、第１の部材２００を下方へずらし続け、かつ第２の部材２２０を上方へずらし続ける。このずらしは、第１の部材２００および第２の部材２２０を図１２の（ａ）中に図示されているよりも小さな離間距離で再位置付けする。
【００５０】
今度は図１４の（ａ）〜図１４の（ｃ）を参照すると、第１および第２の部材２００及び２２０の枢軸結合されている端部の詳細図と共に、電子機器１００の断面図が示されている。本発明のこの実施の形態の場合、ディスプレイハウジング１１０は、ほとんど反転されている。従って、ディスプレイハウジング１１０のバックディスプレイパネルは、ディスプレイ支持機構１４０に対して面一になっている。
【００５１】
この位置において、ヒンジアセンブリ１３０の軸１３３は、図１３の（ａ）〜図１３の（ｃ）中に明らかにされている位置と比較して、反時計周り方向にさらに回転されている。軸１３３の回転は、図９の（ａ）および図１０の（ａ）中に同様に示されているように、第１の部材２００および第２の部材２２０を互いに略同一平面に再位置付けする。示されているように、相互接続の為に許容されている空間が前に示されているものから減少されているにもかかわらず、開いている供給通路は依然として維持されている。
【００５２】
今度は図１５の（ａ）〜図１５の（ｃ）を参照すると、第１および第２の部材２００及び２２０の枢軸結合されている端部の詳細図と共に、図４の電子機器１００の断面図が示されている。本発明のこの実施の形態の場合、ディスプレイハウジング１１０は既に反転されていて、ディスプレイ支持機構１４０はディスプレイハウジング１１０と本体１２０との間に位置付けられている。ディスプレイハウジング１１０のバックパネル１１４は、本体１２０のフロントパネル部１２２に対して概して面一である。
【００５３】
また、図１５の（ｂ）および図１５の（ｃ）中に示されているように、ディスプレイハウジング１１０が反転位置に配置されたとき、平面Ｅは平面Ｆから斜めになり、かつ平面Ｆとは平行にならないように方向が決められている。平面Ｅは第１および第２の部材２００及び２２０の端部２０２及び２２２における枢軸点を含む。平面Ｆは第１および第２の部材２００及び２２０の端部２０４および２２４における枢軸点を含む。
【００５４】
要約すると、ディスプレイハウジング１１０がディスプレイ支持機構１４０から離されているとともにヒンジユニット１５０及び２３０によって設定されている１つまたはそれ以上の水平方向の回転軸の周りに回転されたとき、第１および第２の部材２００の同じ端部における枢軸点を含めた第１の平面は第１および第２の部材２２０の他方の端部における枢軸点を含めた第２の平面と平行になる。回転の量は、第１の位置、すなわち、水平方向の回転軸周りのディスプレイハウジング１１０の角回転を開始する直前のディスプレイハウジング１１０の位置、から、１０°と１７０°との範囲で変化してもよい。該第１の位置において、ディスプレイハウジング１１０のバックディスプレイパネルの一部は、ディスプレイ支持機構１４０に対して概して面一である。
【００５５】
本発明の特定の実施の形態を記載し、かつ添付図面に示してきたが、そのような実施の形態は、単に例証的なものであり、かつ本発明の様々な実施の形態の広い態様を規制するものではなく、また、種々の他の変更が可能であるため、これらの実施の形態は、図示および記載した特定の構造および配置を限定するものではないことを理解すべきである。
【図面の簡単な説明】
【００５６】
【図１】本発明によって実施され、かつ第１の（閉）位置に配置されている電子機器の実施の形態の斜視図である。
【図２】ディスプレイ支持部材を伴なっていない、図１の電子機器の斜視図である。
【図３】第２の（開）位置に配置されている、図１の電子機器の実施の形態の斜視図である。
【図４】第３の（反転）位置に配置されている、図１の電子機器の実施の形態の斜視図である。
【図５】図１のディスプレイ支持機構の第１の実施の形態の斜視図である。
【図６】図５の電子機器によって使用されているヒンジアセンブリの実施の形態の断面図である。
【図７】（ａ）は、図６のヒンジアセンブリの端部の開口によって提供されている供給パスを通っている相互接続の斜視図であり；  （ｂ）は、図６のヒンジアセンブリの一部の周りに巻かれている相互接続の斜視図である。
【図８】図１のディスプレイ支持機構の第２の実施の形態の斜視図である。
【図９】（ａ）乃至（ｃ）は、図１の電子機器の第１の実施の形態の断面図及び図５の第１および第２の部材の枢軸結合されている端部の詳細図である。
【図１０】（ａ）乃至（ｃ）は、電子機器の第２の実施の形態の断面図及び図５の第１および第２の部材の枢軸結合されている端部の詳細図である。
【図１１】（ａ）乃至（ｃ）は、電子機器の第３の実施の形態の断面図及び図５の第１および第２の部材の枢軸結合されている端部の詳細図である。
【図１２】（ａ）乃至（ｃ）は、電子機器の第４の実施の形態の断面図及び図５の第１および第２の部材の枢軸結合されている端部の詳細図である。
【図１３】（ａ）乃至（ｃ）は、電子機器の第５の実施の形態の断面図及び図５の第１および第２の部材の枢軸結合されている端部の詳細図である。
【図１４】（ａ）乃至（ｃ）は、電子機器の第６の実施の形態の断面図及び図５の第１および第２の部材の枢軸結合されている端部の詳細図である。
【図１５】（ａ）乃至（ｃ）は、電子機器の第７の実施の形態の断面図及び図５の第１および第２の部材の枢軸結合されている端部の詳細図である。
【符号の説明】
【００５７】
１００…電子機器、１１０…ディスプレイハウジング、１１１…フラットパネルディスプレイ、１１２…フロントディスプレイパネル、１１３…負荷保持フック、１１４…バックディスプレイパネル、１１５，１１７…凹部領域、１１６，１２３，１４１…上面、１１８，１２６…上縁、１２０…本体、１２２…フロントパネル部、１２４…バックパネル部、１２５…底縁、１３０…ヒンジアセンブリ、１３１，１３２…端部、１３３…軸、１３４，１３５…開口、１３６…配線、１３７…第１の軸部、１３８…第２の軸部、１３９…第３の軸部、１４０…ディスプレイ支持機構、１４２，２０２，２２２…第１の端部、１４４，２０４，２２４…第２の端部、１５０…第１のヒンジユニット、１６０，１６２…留め具、１７０，１７２…デュアルスピーカ、１８０…キーボード、１８５…２次入力装置、１９０，１９２…溝、１９１，１９３，２０５…凹部領域、２００…第１の部材、２０６，２０７…凹部部分、２２０…第２の部材、２２５…突出部、２３０…第２のヒンジユニット、３０５…第１のアーム、３１０…第２のアーム、３１５…第３のアーム、Ａ，Ｂ，Ｃ，Ｄ，Ｅ，Ｆ…平面
【図１】
2005092864.tif 000003
【図２】
2005092864.tif 000004
【図３】
2005092864.tif 000005
【図４】
2005092864.tif 000006
【図５】
2005092864.tif 000007
【図６】
2005092864.tif 000008
【図７】
2005092864.tif 000009
【図８】
2005092864.tif 000010
【図９】
2005092864.tif 000011
【図１０】
2005092864.tif 000012
【図１１】
2005092864.tif 000013
【図１２】
2005092864.tif 000014
【図１３】
2005092864.tif 000015
【図１４】
2005092864.tif 000016
【図１５】
2005092864.tif 000017